(57)【特許請求の範囲】
【請求項１】
第１直流電力を第２直流電力に変換する第１電力変換装置及び第２電力変換装置を有する電源ユニットと、
複数の発光素子が電気的に接続された複数の光源回路を有し、前記複数の光源回路のそれぞれが前記第１電力変換装置に接続された第１光源モジュールと、
複数の発光素子が電気的に接続された複数の光源回路を有し、前記複数の光源回路のそれぞれが前記第２電力変換装置に接続された第２光源モジュールと、
複数の発光素子が電気的に接続された複数の光源回路を有し、前記複数の光源回路の少なくとも１つが前記第１電力変換装置に接続され、前記複数の光源回路の少なくとも１つが前記第２電力変換装置に接続された第３光源モジュールと、
を有する光源ユニットと、
を備え、
前記第１光源モジュール、前記第２光源モジュールおよび前記第３光源モジュールのうち、点灯にともなう温度の上昇が最も大きい位置に配置された一の光源モジュールの前記複数の光源回路のそれぞれの順方向電圧は、他の光源モジュールの前記複数の光源回路のそれぞれの順方向電圧よりも高い照明装置。
【請求項２】
第１直流電力を第２直流電力に変換する第１電力変換装置及び第２電力変換装置を有する電源ユニットと、
複数の発光素子が電気的に接続された複数の光源回路を有し、前記複数の光源回路のそれぞれが前記第１電力変換装置に接続された第１光源モジュールと、
複数の発光素子が電気的に接続された複数の光源回路を有し、前記複数の光源回路のそれぞれが前記第２電力変換装置に接続された第２光源モジュールと、
複数の発光素子が電気的に接続された複数の光源回路を有し、前記複数の光源回路の少なくとも１つが前記第１電力変換装置に接続され、前記複数の光源回路の少なくとも１つが前記第２電力変換装置に接続された第３光源モジュールと、
を有する光源ユニットと、
を備え、
前記第１光源モジュール、前記第２光源モジュールおよび前記第３光源モジュールのうち、光出力が最も大きい位置に配置された一の光源モジュールの前記複数の光源回路のそれぞれの順方向電圧は、他の光源モジュールの前記複数の光源回路のそれぞれの順方向電圧よりも低い照明装置。
【請求項３】
前記電源ユニットは、１つのＡＣ／ＤＣ変換部を有し、
前記ＡＣ／ＤＣ変換部は、交流電源と電気的に接続され、前記交流電源から供給された交流電力を前記第１直流電力に変換し、前記第１直流電力を前記第１電力変換装置及び前記第２電力変換装置に供給する請求項１又は２に記載の照明装置。
【請求項４】
前記第１光源モジュールと前記第２光源モジュールと前記第３光源モジュールとのそれぞれは、前記複数の光源回路毎に設けられた複数の入力端子を有する請求項１〜３のいずれか１つに記載の照明装置。
【発明の詳細な説明】
【技術分野】
【０００１】
本発明の実施形態は、照明装置に関する。
【背景技術】
【０００２】
複数の光源モジュールと複数の電力変換装置とを備えた照明装置がある。光源モジュールは、基板と、基板上に高密度に実装された複数の発光素子と、を有する。こうした光源モジュールは、例えば、ＣＯＢ（Chip On Board）と呼ばれる。電力変換装置は、供給された電力を光源モジュールに対応した電力に変換し、変換後の電力を光源モジュールに供給する。このような照明装置は、例えば、比較的高い出力を要求される投光器などに用いられる。
【０００３】
１つの電力変換装置の出力電力は、必ずしも１つの光源モジュールの消費電力の整数倍であるとは限らない。例えば、電力変換装置の出力電力が１００Ｗで、光源モジュールの消費電力が６０Ｗである場合、１つの電力変換装置で２つの光源モジュールを駆動することができない。従って、６０Ｗの３つの光源モジュールを出力電力が１００Ｗの電力変換装置で駆動する場合には、電力変換装置の数も３つ必要となる。一方、３つの光源モジュールの合計の消費電力は、１８０Ｗであり、出力電力が１００Ｗの電力変換装置が２つでも供給可能な電力である。このように、出力電力が１００Ｗの電力変換装置が２つでも供給可能な電力を３つの電力変換装置で投入することになるため、非効率であるとともに、照明装置の部品点数が、増加してしまう。
【０００４】
仕様の異なる照明装置（製品）を既存の光源モジュール及び電力変換装置の組み合わせで製造する場合がある。このため、組み合わせによっては、上記のように、電力変換装置の出力が、光源モジュールの消費電力の整数倍とならない場合もある。光源モジュールの消費電力の整数倍となるように、製品毎に電力変換装置を設計することも考えられる。しかしながら、この場合には、照明装置の製造コストの増加を招いてしまう虞がある。また、出力の大きな１つの電力変換装置から複数の光源モジュールに電力を供給することも考えられる。しかしながら、この場合には、例えば、各発光素子の順方向電圧の低い光源モジュールに電流が集中し、各光源モジュールの明るさにバラツキが生じてしまうことが懸念される。
【０００５】
このため、複数の光源モジュールと複数の電力変換装置とを備えた照明装置では、１つの電力変換装置の出力電力が、１つの光源モジュールの消費電力の整数倍ではない場合でも、部品点数の増加を抑制できるようにすることが望まれる。
【先行技術文献】
【特許文献】
【０００６】
【特許文献１】特開２０１３−２３５６９２号公報
【特許文献２】特開２０１４−８６１５９号公報
【発明の概要】
【発明が解決しようとする課題】
【０００７】
部品点数の増加を抑制できる照明装置を提供することを目的とする。
【課題を解決するための手段】
【０００８】
本発明の実施形態によれば、電源ユニットと、光源ユニットと、を備えた照明装置が提供される。前記電源ユニットは、第１直流電力を第２直流電力に変換する第１電力変換装置及び第２電力変換装置を有する。前記光源ユニットは、第１光源モジュールと、第２光源モジュールと、第３光源モジュールと、を有する。前記第１光源モジュールは、複数の発光素子が電気的に接続された複数の光源回路を有し、前記複数の光源回路のそれぞれが前記第１電力変換装置に接続される。前記第２光源モジュールは、複数の発光素子が電気的に接続された複数の光源回路を有し、前記複数の光源回路のそれぞれが前記第２電力変換装置に接続される。前記第３光源モジュールは、複数の発光素子が電気的に接続された複数の光源回路を有し、前記複数の光源回路の少なくとも１つが前記第１電力変換装置に接続され、前記複数の光源回路の少なくとも１つが前記第２電力変換装置に接続される。前記第１光源モジュール、前記第２光源モジュールおよび前記第３光源モジュールのうち、点灯にともなう温度の上昇が最も大きい位置に配置された一の光源モジュールの前記複数の光源回路のそれぞれの順方向電圧は、他の光源モジュールの前記複数の光源回路のそれぞれの順方向電圧よりも高い。
【発明の効果】
【０００９】
本発明の実施形態では、第３光源モジュールの複数の光源回路の少なくとも１つを第１電力変換装置に接続し、第３光源モジュールの複数の光源回路の少なくとも１つを第２電力変換装置に接続する。これにより、２つの電力変換装置で３つの光源モジュールを駆動することができる。従って、１つの電力変換装置の出力電力が、１つの光源モジュールの消費電力の整数倍ではない場合でも、部品点数の増加を抑制することができる。電力変換装置の数を抑えることができる。
【図面の簡単な説明】
【００１０】
【図１】実施形態に係る照明装置を表す斜視図である。
【図２】実施形態に係る照明装置を表す分解斜視図である。
【図３】実施形態に係る光源モジュールを表す平面図である。
【図４】実施形態に係る電源ユニットを模式的に表すブロック図である。
【図５】実施形態に係る電源ユニットの変形例を模式的に表すブロック図である。
【図６】実施形態に係る電源ユニットの変形例を模式的に表すブロック図である。
【発明を実施するための形態】
【００１１】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１２】
［実施形態の構成］  
図１は、実施形態に係る照明装置を表す斜視図である。  
図２は、実施形態に係る照明装置を表す分解斜視図である。  
図１及び図２に表したように、照明装置１０は、光源ユニット１２と、電源ユニット１４と、光制御ユニット１６と、支持体１８と、台座２０と、を備える。照明装置１０は、看板や建造物の演出照明などに用いられる、いわゆる投光器である。
【００１３】
光源ユニット１２は、ベース２２と、複数の光源モジュール２４と、を有する。ベース２２は、各光源モジュール２４を支持する。ベース２２は、支持面２２ａを有する板状である。各光源モジュール２４は、支持面２２ａの上に並べて設けられる。各光源モジュール２４において、隣接する２つの光源モジュール２４の距離ｄ１は、例えば、１ｃｍ以上３０ｃｍ以下である。この例において、光源ユニット１２は、第１光源モジュール２４ａ〜第７光源モジュール２４ｇの７つの光源モジュール２４を有する。各光源モジュール２４の数は、７つに限ることなく、任意の数でよい。
【００１４】
各光源モジュール２４は、電力の供給に応じて、支持面２２ａの向く方向に光を照射する。以下では、支持面２２ａの向く方向を「前方向」とし、支持面２２ａの向く方向と反対側の方向を「後方向」とする。各光源モジュール２４は、前方向に向けて光を照射する。
【００１５】
ベース２２の支持面２２ａと反対側の面には、複数の放熱フィン２６が設けられている。各放熱フィン２６は、後方向に向けて延びる。各放熱フィン２６は、ベース２２の後側の面の表面積を増加させることにより、各光源モジュール２４から放出される熱の放熱効率を向上させる。
【００１６】
電源ユニット１４は、台座２０に取り付けられている。電源ユニット１４は、電源ケーブル３０を介して交流電源２（図４参照）と電気的に接続されるとともに、給電ケーブル３２を介して各光源モジュール２４と電気的に接続される。電源ユニット１４は、交流電源２から供給される交流電力を、各光源モジュール２４に対応した直流電力に変換する。電源ユニット１４は、変換後の直流電力を各光源モジュール２４に供給する。これにより、電源ユニット１４からの電力供給に応じて、各光源モジュール２４から光が照射される。
【００１７】
光制御ユニット１６は、複数の反射体３４と、ケース３６と、透光カバー３８と、を有する。複数の反射体３４は、各光源モジュール２４に応じて設けられる。各反射体３４の数は、各光源モジュール２４の数と同じである。各反射体３４は、各光源モジュール２４の光軸上に設けられる。各反射体３４は、後端側から前端側に向かって広がる筒状である。各反射体３４は、例えば、各光源モジュール２４から照射される光の配光を制御する。
【００１８】
ケース３６は、各反射体３４を支持する。ケース３６は、例えば、各反射体３４を囲む筒状である。透光カバー３８は、光透過性を有する。透光カバー３８は、ケース３６の前端を塞ぐ。
【００１９】
支持体１８は、光源ユニット１２と光制御ユニット１６とを支持する。支持体１８は、例えば、支持面２２ａの外縁形状に応じた筒状である。光源ユニット１２は、支持体１８の後端に取り付けられる。光制御ユニット１６は、支持体１８の前端に取り付けられる。これにより、光源ユニット１２と光制御ユニット１６とが支持体１８に支持され、各反射体３４が各光源モジュール２４の光軸上に配置される。
【００２０】
台座２０は、一対のアーム４０を有する。台座２０は、各アーム４０で支持体１８を挟むことにより、回転軸４０ａを軸に支持体１８を回転可能に支持する。これにより、照明装置１０では、支持面２２ａの方向を変化させることができる。すなわち、光の照射方向を変化させることができる。
【００２１】
図３は、実施形態に係る光源モジュールを表す平面図である。  
図３に表したように、光源モジュール２４は、基板６０と、複数の光源回路６２と、複数の入力端子６４と、枠部６６と、波長変換層６８と、を有する。基板６０は、例えば、平板状である。基板６０は、実装面６０ａを有する。基板６０には、例えば、絶縁性と高い熱伝導性とを有する材料が用いられる。基板６０には、例えば、セラミクスが用いられる。
【００２２】
複数の光源回路６２は、電気的に接続された複数の発光素子７０を有する。各発光素子７０は、例えば、発光ダイオード（Light-emitting diode：ＬＥＤ）である。各発光素子７０は、例えば、ＬＥＤのベアチップである。各発光素子７０は、基板６０の実装面６０ａの上に並べて設けられる。基板６０の実装面６０ａには、図示を省略した配線パターンが設けられている。各発光素子７０は、実装面６０ａ上の配線パターンによって、互いに電気的に接続される。光源モジュール２４は、いわゆるＣＯＢ（Chip On Board）型のＬＥＤモジュールである。
【００２３】
各発光素子７０において、隣接する２つの発光素子７０の距離ｄ２は、例えば、０．１ｍｍ以上１０ｍｍ以下である。各発光素子７０の距離ｄ２は、例えば、各光源モジュール２４の距離ｄ１の０．１倍以下である。
【００２４】
１つの光源回路６２に含まれる各発光素子７０は、例えば、直列に接続される。光源回路６２は、例えば、複数の発光素子７０を直列に接続した直列回路である。各発光素子７０の接続は、例えば、直列接続と並列接続とを組み合わせた接続でもよい。
【００２５】
この例では、第１光源回路６２ａ〜第４光源回路６２ｄの４つの光源回路６２が設けられている。光源回路６２の数は、４つに限ることなく、任意の数でよい。各光源回路６２に含まれる複数の発光素子７０の数は、同じである。これにより、例えば、電流が、順方向電圧の低い光源回路６２（発光素子７０の直列接続数の少ない光源回路６２）に集中してしまうことを抑制することができる。但し、各発光素子７０の数は、各光源回路６２のそれぞれで厳密に同じである必要はなく、異なっていてもよい。
【００２６】
各入力端子６４は、光源回路６２毎に設けられる。入力端子６４は、１つの光源回路６２に対して２つ設けられる。従って、この例では、４つの光源回路６２に対応する第１入力端子６４ａ〜第８入力端子６４ｈの８つの入力端子６４が設けられる。
【００２７】
第１入力端子６４ａ及び第２入力端子６４ｂは、第１光源回路６２ａと電気的に接続される。第１入力端子６４ａは、第１光源回路６２ａの各発光素子７０の一端に接続される。例えば、直列に接続された各発光素子７０の最も端のアノードに接続される。第２入力端子６４ｂは、第１光源回路６２ａの各発光素子７０の他端に接続される。例えば、直列に接続された各発光素子７０の最も端のカソードに接続される。
【００２８】
同様に、第３入力端子６４ｃ及び第４入力端子６４ｄは、第２光源回路６２ｂと電気的に接続される。第５入力端子６４ｅ及び第６入力端子６４ｆは、第３光源回路６２ｃと電気的に接続される。第７入力端子６４ｇ及び第８入力端子６４ｈは、第４光源回路６２ｄと電気的に接続される。
【００２９】
このように、各入力端子６４は、各光源回路６２と電気的に接続される。また、各入力端子６４は、電源ユニット１４との電気的な接続に用いられる。各入力端子６４は、いわゆるコネクタである。各光源モジュール２４の各発光素子７０は、各入力端子６４を介して電源ユニット１４と電気的に接続される。これにより、電源ユニット１４からの電力供給に応じて各光源モジュール２４の各発光素子７０から光が照射される。
【００３０】
枠部６６は、基板６０の実装面６０ａの上に設けられる。枠部６６は、実装面６０ａの上において各発光素子７０を囲む。枠部６６の実装面６０ａからの高さは、各発光素子７０の実装面６０ａからの高さよりも高い。枠部６６は、例えば、各発光素子７０から照射される光に対して光反射性を有する。枠部６６には、例えば、金属や金属酸化物などの光反射性の粒子を分散させた光透過性の樹脂材料などが用いられる。
【００３１】
波長変換層６８は、枠部６６内に充填され、各発光素子７０のそれぞれを覆う。波長変換層６８は、例えば、各発光素子７０から放出される第１光（発光光）の少なくとも一部を吸収し、第１光のピーク波長とは異なるピーク波長の第２光を放出する。すなわち、波長変換層６８は、各発光素子７０から放出された光のピーク波長を変換する。波長変換層６８は、例えば、第１光のピーク波長とは異なる複数のピーク波長の光を放出してもよい。波長変換層６８には、例えば、蛍光体などの波長変換粒子を分散させた光透過性の樹脂材料が用いられる。波長変換層６８は、例えば、放出する光のピーク波長が異なる複数の変換層の積層体としてもよい。
【００３２】
各発光素子７０の発光光は、例えば、青色光であり、波長変換層６８から放出される光は、例えば、黄色光である。波長変換層６８から放出される光と、発光光と、の合成光は、例えば、実質的に白色光である。第１光、第２光及び合成光の色は、上記に限ることなく、任意の色でよい。
【００３３】
図４は、実施形態に係る電源ユニットを模式的に表すブロック図である。  
図４に表したように、電源ユニット１４は、複数の電源回路８０を有する。各電源回路８０は、光源ユニット１２の複数の光源モジュール２４に対応して設けられる。この例では、第１電源回路８０ａ〜第５電源回路８０ｅの５つの電源回路８０が設けられている。電源回路８０の数は、５つに限ることなく、各光源モジュール２４の数に応じた任意の数でよい。
【００３４】
各電源回路８０は、交流電源２と電気的に接続される。各電源回路８０は、例えば、それぞれ異なる系統の交流電源２に接続される。各電源回路８０は、１つの交流電源２に接続してもよい。交流電源２は、例えば、商用電源である。交流電源２の交流電力の電圧は、例えば、１００Ｖ（実効値）である。
【００３５】
また、電源ユニット１４は、複数の配線基板８１と、複数の筺体８２と、外部筺体８８と、を有する。各電源回路８０は、各配線基板８１に設けられる。電源ユニット１４は、複数の配線基板８１から複数の系統の電力を供給する。各筺体８２は、各配線基板８１を収容する。各筺体８２は、各電源回路８０及び各配線基板８１を覆う。外部筺体８８は、各筺体８２のそれぞれを収容する。なお、外部筺体８８は、省略してもよい。換言すれば、電源ユニット１４は、複数の配線基板８１と、各配線基板８１に設けられた複数の電源回路８０と、各電源回路８０及び各配線基板８１を覆う複数の筺体８２と、を有する複数の電源装置で構成してもよい。
【００３６】
各電源回路８０は、ＡＣ／ＤＣ変換部８３と、電力変換装置８４と、を有する。ＡＣ／ＤＣ変換部８３は、整流回路８５と、昇圧回路８６と、を有する。整流回路８５は、交流電源２と電気的に接続される。整流回路８５は、交流電源２から供給された交流電力を整流し、交流電力を整流電力（例えば脈流電力）に変換する。整流回路８５には、例えば、ダイオードブリッジ回路が用いられる。整流回路８５は、例えば、交流電力を全波整流する。整流回路８５は、交流電力を半波整流してもよい。また、整流回路８５は、例えば、平滑コンデンサを有し、整流電力を直流電力に変換する。
【００３７】
昇圧回路８６は、整流回路８５と電気的に接続されている。昇圧回路８６は、整流回路８５から供給された直流電力の電圧を昇圧する。昇圧回路８６には、例えば、昇圧チョッパ回路が用いられる。このように、ＡＣ／ＤＣ変換部８３は、交流電源２の交流電力を第１直流電力に変換する。昇圧回路８６は、必要に応じて設けられ、省略可能である。例えば、整流回路８５の出力を第１直流電力としてもよい。
【００３８】
電力変換装置８４は、ＡＣ／ＤＣ変換部８３と電気的に接続されている。電力変換装置８４は、ＡＣ／ＤＣ変換部８３から供給された第１直流電力を、各光源モジュール２４に対応した第２直流電力に変換する。ＡＣ／ＤＣ変換部８３及び電力変換装置８４は、例えば、交流電源２の１００Ｖの交流電力を２００Ｖの直流電力に変換する。電力変換装置８４の定格出力電力は、１つの光源モジュール２４の定格消費電力よりも大きい。また、電力変換装置８４の定格出力電力は、１つの光源モジュール２４の定格消費電力の整数倍ではない。電力変換装置８４は、いわゆるＤＣ／ＤＣコンバータである。このように、この例において、電源ユニット１４は、各電源回路８０に設けられた第１電力変換装置８４ａ〜第５電力変換装置８４ｅの５つの電力変換装置８４を有する。
【００３９】
第１光源モジュール２４ａの各光源回路６２のそれぞれは、第１電力変換装置８４ａに接続されている。第２光源モジュール２４ｂの各光源回路６２のそれぞれは、第２電力変換装置８４ｂに接続されている。第３光源モジュール２４ｃの第１光源回路６２ａ及び第２光源回路６２ｂは、第１電力変換装置８４ａに接続されている。一方、第３光源モジュール２４ｃの第３光源回路６２ｃ及び第４光源回路６２ｄは、第２電力変換装置８４ｂに接続されている。このように、第３光源モジュール２４ｃにおいては、各光源回路６２の少なくとも１つが第１電力変換装置８４ａに接続され、各光源回路６２の別の少なくとも１つが第２電力変換装置８４ｂに接続される。
【００４０】
第４光源モジュール２４ｄの各光源回路６２のそれぞれは、第３電力変換装置８４ｃに接続されている。第５光源モジュール２４ｅの各光源回路６２のそれぞれは、第４電力変換装置８４ｄに接続されている。第６光源モジュール２４ｆの第１光源回路６２ａ及び第２光源回路６２ｂは、第３電力変換装置８４ｃに接続されている。第６光源モジュール２４ｆの第３光源回路６２ｃ及び第４光源回路６２ｄは、第４電力変換装置８４ｄに接続されている。第７光源モジュール２４ｇの各光源回路６２のそれぞれは、第５電力変換装置８４ｅに接続されている。
【００４１】
このように、照明装置１０では、７つの光源モジュール２４に対して、５つの電力変換装置８４から電力を供給する。照明装置１０において、光源モジュール２４の数と電力変換装置８４の数との比率は、整数比ではない。
【００４２】
［実施形態の作用］
次に、実施形態に係る照明装置１０の作用について説明する。  
照明装置１０を点灯させる場合には、例えば、電源ケーブル３０及び図示を省略したスイッチなどを介して電源ユニット１４を交流電源２に接続する。
【００４３】
電源ユニット１４を交流電源２に接続すると、交流電源２の交流電力が各電源回路８０に供給される。各電源回路８０に供給された交流電力は、ＡＣ／ＤＣ変換部８３の整流回路８５及び昇圧回路８６により、第１直流電力に変換される。ＡＣ／ＤＣ変換部８３は、変換した第１直流電力を電力変換装置８４に供給する。電力変換装置８４は、ＡＣ／ＤＣ変換部８３から供給された第１直流電力を第２直流電力に変換し、第２直流電力を出力する。
【００４４】
これにより、各電力変換装置８４から各光源モジュール２４に第２直流電力が供給され、各光源モジュール２４の各発光素子７０から光が照射される。すなわち、照明装置１０が点灯する。
【００４５】
［実施形態の効果］
このように、本実施形態に係る照明装置１０では、第３光源モジュール２４ｃの複数の光源回路６２の少なくとも１つを第１電力変換装置８４ａに接続し、第３光源モジュール２４ｃの複数の光源回路６２の別の少なくとも１つを第２電力変換装置８４ｂに接続する。これにより、照明装置１０では、２つの電力変換装置８４ａ、８４ｂで３つの光源モジュール２４ａ〜２４ｃを駆動することができる。従って、１つの電力変換装置８４の出力電力が、１つの光源モジュール２４の消費電力と異なり、かつ、１つの電力変換装置８４の出力電力が、１つの光源モジュール２４の消費電力の整数倍ではない場合でも、照明装置１０の部品点数の増加を抑制することができる。電力変換装置８４の数を抑えることができる。
【００４６】
また、照明装置１０では、例えば、既存の光源モジュール２４と既存の電力変換装置８４との選択の自由度を高めることができる。例えば、光源モジュール２４の消費電力の整数倍となるように、製品毎に電力変換装置８４を設計する場合に比べて、照明装置の製造コストを抑えることができる。また、出力の大きな１つの電力変換装置８４から複数の光源モジュール２４に電力を供給する場合に比べて、各発光素子７０の順方向電圧のバラツキにともなう電流集中を抑制することができる。例えば、各光源モジュール２４の明るさのバラツキを抑制できる。
【００４７】
照明装置１０では、各光源モジュール２４が、複数の光源回路６２毎に設けられた複数の入力端子６４を有している。これにより、各光源回路６２と各電力変換装置８４との接続を容易にすることができる。
【００４８】
照明装置１０において、複数の光源モジュール２４のうち、点灯にともなう温度の上昇が最も大きいと予測される位置に配置された１つの光源モジュール２４の各光源回路６２のそれぞれの順方向電圧は、他の光源モジュール２４の各光源回路６２のそれぞれの順方向電圧よりも高くする。
【００４９】
各発光素子７０の順方向電圧は、温度の上昇にともなって低くなる。従って、点灯時の温度上昇の激しい位置を放熱設計によって予測し、その位置の光源モジュール２４の順方向電圧を高くしておく。これにより、例えば、点灯状態において各光源モジュール２４の順方向電圧を均一化させることができる。例えば、順方向電圧のバラツキに起因する電流集中を抑制することができる。
【００５０】
熱は、上方に拡散する。このため、例えば、最も上方に位置する光源モジュール２４の各光源回路６２の順方向電圧を高くする。この例では、例えば、第１光源モジュール２４ａの順方向電圧を、第２光源モジュール２４ｂの順方向電圧及び第３光源モジュール２４ｃの順方向電圧よりも高くする（図２参照）。これにより、第１光源モジュール２４ａへの電流集中を抑制することができる。
【００５１】
例えば、２つの電力変換装置８４から電力が供給される第３光源モジュール２４ｃは、第１光源モジュール２４ａとの温度差及び第２光源モジュール２４ｂとの温度差の小さい位置に配置する。例えば、図２に表したように、第３光源モジュール２４ｃは、鉛直方向において、第１光源モジュール２４ａと第２光源モジュール２４ｂとの間に配置する。これにより、例えば、第１光源モジュール２４ａと第３光源モジュール２４ｃとの温度の高い方、及び、第２光源モジュール２４ｂと第３光源モジュール２４ｃとの温度の高い方に電流が集中してしまうことを抑制することができる。第１光源モジュール２４ａ、第２光源モジュール２４ｂおよび第３光源モジュール２４ｃは、例えば、実質的に同じ高さに配置してもよい。換言すれば、第１光源モジュール２４ａ、第２光源モジュール２４ｂおよび第３光源モジュール２４ｃは、横方向に並べて配置してもよい。
【００５２】
照明装置１０において、複数の光源モジュール２４のうち、光出力の要求値が最も高い位置に配置された１つの光源モジュール２４の各光源回路６２のそれぞれの順方向電圧は、他の光源モジュール２４の各光源回路６２のそれぞれの順方向電圧よりも低くする。
【００５３】
これにより、順方向電圧を低く設定した１つの光源モジュール２４に電流を集中させ、その光源モジュール２４の光出力を高くすることができる。例えば、支持面２２ａの中央付近に配置される光源モジュール２４の光出力は、支持面２２ａの外縁付近に配置される光源モジュール２４の光出力よりも高く設定される。従って、この例では、例えば、第３光源モジュール２４ｃの順方向電圧を他の光源モジュール２４の順方向電圧よりも低くする。これにより、第３光源モジュール２４ｃの光出力を高くすることができる。
【００５４】
［変形例１］
図５は、実施形態に係る電源ユニットの変形例を模式的に表すブロック図である。  
図５に表したように、電源ユニット１１４は、１つの配線基板８１及び１つの筺体８２を有する。電源ユニット１１４では、各電源回路８０が、共通の配線基板８１に設けられる。電源ユニット１１４は、１つの配線基板８１から複数の系統の電力を供給する。筺体８１は、各電源回路８０及び配線基板８１を覆う。このように、複数の電源回路８０は、１つの配線基板８１上に設けてもよい。
【００５５】
［変形例２］
図６は、実施形態に係る電源ユニットの変形例を模式的に表すブロック図である。  
図６に表したように、電源ユニット２１４では、１つの電源回路８０に複数の電力変換装置８４が設けられ、各電力変換装置８４が１つのＡＣ／ＤＣ変換部８３と電気的に接続されている。電源ユニット２１４では、１つのＡＣ／ＤＣ変換部８３が、各電力変換装置８４のそれぞれに第１直流電力を供給する。
【００５６】
このように、２系統以上の出力を持つ電源回路８０において、ＡＣ／ＤＣ変換部８３までを共通化させてもよい。これにより、各電力変換装置８４のグランドを共通化することができる。各電力変換装置８４から出力される第２直流電力のグランドレベルを共通化することができる。
【００５７】
例えば、電源ユニット１４、１１４のように、複数のＡＣ／ＤＣ変換部８３のそれぞれから複数の電力変換装置８４のそれぞれに第１直流電力を供給する場合、各第２直流電力のグランドレベルは、必ずしも共通にはならない。この場合、第３光源モジュール２４ｃにおいて第１電力変換装置８４ａに接続された光源回路６２と第２電力変換装置８４ｂに接続された光源回路６２とがショートした時に、電源ユニットが予期せぬ動作状態に陥ってしまうことが懸念される。グランドレベルが共通でない場合、各出力のショートに対する対策が講じ難い。
【００５８】
これに対して、電源ユニット２１４では、各出力のグランドレベルを共通化できる。これにより、各出力のショートに対し、対策を立てやすくすることができる。これにより、例えば、電源ユニット２１４の動作の安定性を高めることができる。
【００５９】
以上、具体例を参照しつつ実施形態について説明したが、それらに限定されるものではなく、種々の変形が可能である。
【００６０】
上記各実施形態では、第３光源モジュール２４ｃに対し、２つの電力変換装置８４から電力を供給している。これに限ることなく、３つ以上の電力変換装置８４から光源モジュール２４に電力を供給してもよい。例えば、電力変換装置８４の数を３つ、光源モジュール２４の数を４つとし、１つの光源モジュール２４において３つの電力変換装置８４から電力を供給してもよい。
【００６１】
上記各実施形態では、第１電力変換装置８４ａに対し、第１光源モジュール２４ａ及び第３光源モジュール２４ｃの２つの光源モジュール２４を接続している。これに限ることなく、１つの電力変換装置８４に接続する光源モジュール２４の数は、３つ以上でもよい。
【００６２】
発光素子７０は、ＬＥＤに限らず、例えば、有機ＥＬ（Electro-Luminescence）やＯＬＥＤ（Organic light-emitting diode）などでもよい。
【００６３】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００６４】
２…交流電源、  １０…照明装置、  １２…光源ユニット、  １４、１１４、２１４…電源ユニット、  １６…光制御ユニット、  １８…支持体、  ２０…台座、  ２２…ベース、  ２４…光源モジュール、  ２６…放熱フィン、  ３０…電源ケーブル、  ３２…給電ケーブル、  ３４…反射体、  ３６…ケース、  ３８…透光カバー、  ４０…アーム、  ６０…基板、  ６２…光源回路、  ６４…入力端子、  ６６…枠部、  ６８…波長変換層、  ７０…発光素子、  ８０…電源回路、  ８１…配線基板、  ８２…筺体、  ８３…ＡＣ／ＤＣ変換部、  ８４…電力変換装置、  ８５…整流回路、  ８６…昇圧回路、  ８８…外部筺体
【図１】
0006406516.tif 000002
【図２】
0006406516.tif 000003
【図３】
0006406516.tif 000004
【図４】
0006406516.tif 000005
【図５】
0006406516.tif 000006
【図６】
0006406516.tif 000007